(57)【要約】【課題】非常にコンパクトな光量調節装置及び撮像装置を実現するものである。【解決手段】本発明の光量調節装置は、光通過路内で光量を調節する光量調節羽根と、前記光量調節羽根の駆動源となるロータマグネットと、前記ロータマグネットを挟んで対向する一対の磁極部を有するヨークと、前記ヨークに巻回されるコイルと、を備え、前記ロータマグネットと前記コイルとが併設され、前記一対の磁極部の少なくとも一部は、前記ロータマグネット及び前記コイルの隙間に対応する部分に設けられたことを特徴とする。また、上記本発明では、前記ロータマグネットと前記ヨークとの併設方向に沿って前記一対の磁極部が対向配置されていることがよい。【選択図】図３
2015062058.tif 000002
【特許請求の範囲】
【請求項１】
光通過路内で光量を調節する光量調節羽根と、
前記光量調節羽根の駆動源となるロータマグネットと、
前記ロータマグネットを挟んで対向する一対の磁極部を有するヨークと、
前記ヨークに巻回されるコイルと、を備え、
前記ロータマグネットと前記コイルとが併設され、
前記一対の磁極部の少なくとも一部は、前記ロータマグネット及び前記コイルの隙間に対応する部分に設けられたことを特徴とする光量調節装置。
【請求項２】
前記ロータマグネットと前記ヨークとの併設方向に沿って前記一対の磁極部が対向配置されていることを特徴とする請求項１記載の光量調節装置。
【請求項３】
前記ロータマグネットと前記ヨークと前記一対の磁極部とが同一方向に直線状に配置されたことを特徴とする請求項１又は２に記載の光量調節装置。
【請求項４】
前記ロータマグネットは、前記ヨークの一端部上に設けられていることを特徴とする請求項１乃至３のいずれか１項に記載の光量調節装置。
【請求項５】
前記一対の磁極部のうち一方の磁極部は、前記ロータマグネットのうち前記コイル側の端部側に設けられたことを特徴とする請求項１乃至４のいずれか１項に記載の光量調節装置。
【請求項６】
前記ヨークは、前記一対の磁極部のうち前記ロータマグネット及び前記コイルの隙間に対応して設けられる第１磁極部を有する第１ヨークと、前記第１ヨークに連結されて前記第１磁極部と対向配置される第２磁極部を有する第２ヨークとを備えたことを特徴とする請求項１乃至５のいずれか１項に記載の光量調節装置。
【請求項７】
前記コイルは、前記第２ヨークに対して巻回されたことを特徴とする請求項１乃至６のいずれか１項に記載の光量調節装置。
【請求項８】
更に、前記ヨークが装着される地板を備え、
前記地板には、前記コイルが巻回された第２ヨークが実装され、前記第２ヨークの一端部上に前記ロータマグネットが実装され、前記第２ヨークの他端部上には前記第１ヨークが配置されて、前記第１ヨークと前記第２ヨークとが結合されたことを特徴とする請求項６に記載の光量調節装置。
【請求項９】
前記ヨークは、前記第１ヨーク及び前記第２ヨークのそれぞれに分割されていることを特徴とする請求項６乃至８のいずれか１項に記載の光量調節装置。
【請求項１０】
請求項１乃至９のいずれか１項に記載の光量調節装置を備えたことを特徴とする撮像装置。
【発明の詳細な説明】
【技術分野】
【０００１】
本発明は、例えば、携帯用の電子機器などに組み込まれる光量調節装置または撮像装置に関する。
【背景技術】
【０００２】
従来、カメラ等の光学機器に搭載される光量調節装置、即ちシャッタには、ムービングマグネット式の電磁気回路により駆動する駆動部を駆動源として、シャッタ羽根や絞り羽根、フィルター羽根等の光量調節部材を往復運動させるものが知られている。例えば、特許文献１にて開示された光量調節装置がある。
【０００３】
駆動部は、コイルへの通電により発生させた電磁力によってロータを回転させる電磁アクチュエータに関し、例えば、カメラ等の光学機器に搭載される光量調節装置の駆動源に好適な電磁アクチュエータに関する。
【０００４】
また、上記のような電磁アクチュエータとして、特許文献１には、複数の着磁部が形成された外周面を有する回転可能なロータマグネットと、コイルと、ロータマグネットの外周面のうち周方向にて互いに異なる領域に対向する２つの磁極部を有するヨークとにより構成された電磁アクチュエータが開示されている。ロータは、光量調節装置のベース部材によって回転可能に支持されている。また、ヨークには、２つの磁極部をつなぐとともにコイルが装着されるＵ字形状（馬蹄形状）の磁路形成部が設けられている。
【先行技術文献】
【特許文献】
【０００５】
【特許文献１】特開２０１３−０３０５６６号公報
【発明の概要】
【発明が解決しようとする課題】
【０００６】
ここで、従来、カメラモジュールへのシャッタの取り付けは、光の通過開口部を覆う位置でシャッタ羽根が走行し、そのシャッタ羽根を駆動させる駆動部はカメラモジュールの側面にせり出すことでなされていた。従って、カメラモジュール側面から凸となるシャッタは携帯機器などに取り付けられることを主な目的とされ、省スペース化が求められる仕様には不利であった。
【０００７】
本発明は上述した事情に鑑み、非常にコンパクトな光量調節装置及び撮像装置を実現するものである。
【課題を解決するための手段】
【０００８】
本発明の光量調節装置は、光通過路内で光量を調節する光量調節羽根と、前記光量調節羽根の駆動源となるロータマグネットと、前記ロータマグネットを挟んで対向する一対の磁極部を有するヨークと、前記ヨークに巻回されるコイルと、を備え、前記ロータマグネットと前記コイルとが併設され、前記一対の磁極部の少なくとも一部は、前記ロータマグネット及び前記コイルの隙間に対応する部分に設けられたことを特徴とする。
【０００９】
そして、本発明によれば、光量調節装置の高さ方向においては、ロータマグネットとコイルとが併設されることで全体として薄い構成を実現でき、一対の磁極部の少なくとも一部をロータマグネット及びコイルの隙間に対応する部分に設けたことで、一対の磁極部の収容スペースを確保して、光量調節装置の幅方向でのスリム化を図ることができる。これにより、光量調節装置において非常にコンパクトな構成を実現できるため、実装対象となるカメラモジュールの小型化を実現できる。
また、上記本発明では、前記ロータマグネットと前記ヨークとの併設方向に沿って前記一対の磁極部が対向配置されていることがよい。
また、上記本発明では、前記ロータマグネットと前記ヨークと前記一対の磁極部とが同一方向に直線状に配置されるのがよい。
また、上記本発明では、前記ロータマグネットは、前記ヨークの一端部上に設けられているのがよい。
また、上記本発明では、前記一対の磁極部のうち一方の磁極部は、前記ロータマグネットのうち前記コイル側の端部側に設けるのがよい。
また、上記本発明では、前記ヨークは、前記一対の磁極部のうち前記ロータマグネット及び前記コイルの隙間に対応して設けられる第１磁極部を有する第１ヨークと、前記第１ヨークに連結されて前記第１磁極部と対向配置される第２磁極部を有する第２ヨークとを備えるのがよい。
また、上記本発明では、前記コイルは、前記第２ヨークに対して巻回されるのがよい。
また、上記本発明では、更に、前記ヨークが装着される地板を備え、前記地板には、前記コイルが巻回された第２ヨークが実装され、前記第２ヨークの一端部上に前記ロータマグネットが実装され、前記第２ヨークの他端部上には前記第１ヨークが配置されて、前記第１ヨークと前記第２ヨークとが結合されているのがよい。
また、上記本発明では、前記ヨークは、前記第１ヨーク及び前記第２ヨークのそれぞれに分割されているのがよい。
なお、上記本発明では、上述した光量調節装置を備えた撮像装置を対象とすることができる。
【発明の効果】
【００１０】
本発明によれば、非常にコンパクトな光量調節装置を実現することができる。
【図面の簡単な説明】
【００１１】
【図１】本発明の実施例１に係る光量調節装置（カメラモジュール）の概略斜視図。
【図２】本発明の実施例１に係る光量調節装置の概略平面図。
【図３】図２のＡ−Ａ断面図。
【図４】シャッタ羽根による遮光状態を示す光量調節装置の概略図。
【図５】本発明の実施例１に係る光量調節装置の要部拡大図。
【図６】従来の光量調節装置の概略図。
【図７】従来の光量調節装置の要部拡大図。
【図８】本発明の実施例２に係る光量調節装置または光学機器をカメラモジュールに適用させたもので、シャッタ羽根の開放状態を示す概略斜視図。
【図９】本発明の実施例３に係る光量調節装置または光学機器をカメラモジュールに適用させたもので、シャッタ羽根の開放状態を示す概略斜視図。
【発明を実施するための形態】
【００１２】
以下、本発明の実施形態の一例を図面を参照して説明する。
【００１３】
＜実施例１＞
図１ａ、図１ｂ、図２は本発明の実施例１を示し、光量調節装置または光学機器をカメラモジュールに適用させたもので、図１ａはシャッタの斜視図、図１ｂは光量調節装置１０１とカメラモジュール１０２、図２は図１ａの正面図でカバーが外されたシャッタ羽根の開放状態を示し、図３は図２のＡ−Ａ断面図を示す。図４は図２が示すシャッタ装置が遮光状態の場合をそれぞれ示す。
【００１４】
図１ａ、図２において、基板部材であるところの地板１は、光軸に対して直交する平面に開口部１aを形成した平板部１ｂと、平板部１ｂの一端から光軸方向に沿って延びる壁部１cとにより構成し、視略Ｌ字形状としている。
【００１５】
平板部１ｂには、遮光部材であるところのシャッタ羽根２のシャッタ羽根２ａとシャッタ羽根２ｂが回転可能に支持するための支軸１２ａと支軸１２ｂを光軸方向に沿って設けている。
【００１６】
一方、壁部１ｃにはシャッタ羽根２を駆動させるための手段として磁気回路となる部品や部品を収めるための彫り込み形状等を含む駆動部１００が形成されている。該駆動部１００にはロータマグネット（円筒形永久磁石）３を回転可能に支持する支軸１３を光軸方向に沿って設けている。このロータマグネット３には、支軸１３とは異なる位置で光軸方向に延びる羽根駆動手段である駆動ピン３ａが一体または固定して設けられている。即ち、シャッタ羽根２の作動面と支軸１３の軸方向とは互いに略直交する方向に設けられている。
【００１７】
また、地板１の駆動部１００内にはヨーク４を収納取り付けする不図示の凹部と、このヨーク４はヨーク４ｌ（第２ヨーク）とヨーク４２（第１ヨーク）よりなりヨーク４１に挿入取り付けられる電磁コイル５を収納取り付けする不図示の凹部を形成している。なお、電磁コイル５はコイルボビン５ａに巻線コイル５ｂを巻き回して構成されている。
【００１８】
ロータマグネット３には、中央に支軸１３ｃに回転自在に嵌合する丸穴３ｂが形成されると共に、この丸穴３ｂのラジアル方向に羽根駆動手段である駆動ピン３ａを一体または固定し、外周面には２極に着磁された磁極（Ｎ，Ｓ）が形成されている。
【００１９】
シャッタ羽根２は丸穴２１ａ、２１ｂと隣接して長穴２２ａ、２２ｂが設けられ、ロータマグネット３の回転で回動するシャッタ羽根駆動手段である駆動ピン３ａが係合している。従って、ロータマグネット３の回転で駆動ピン３ａが旋回すると、シャッタ羽根２は支軸１２ａ、１２ｂを支点として回転する。
【００２０】
軟磁性材料からなるヨーク４は、Ｔ字形状（第２）のヨーク４１とＹ字形状（第１）のヨーク４２に二体化され、いずれも長手ストレート端側にはL字曲げが施されている。ヨーク４１には、ボビン５ａと巻線コイル５ｂからなる電磁コイル５が挿入され、ヨーク４２とともに駆動部１００内不図示の凹部に挿入して位置決め、取り付けられている（図３参照）。地板１に一体的に設けられた支軸１３は、壁部１ｃの中央近傍から幅方向に突出して設けられた部分から高さ方向に突出するピン形状を有し、支軸１３がロータマグネット３の回転中心となる。支軸１３は、高さ方向にヨーク４１とロータマグネット３との間に挟まれ、高さ方向から見た場合に、ヨーク４１とロータマグネット３が幅方向に重なる位置に配置できるため、幅方向に小型化が可能である。本実施例では、ヨーク４１は、コイル枠５ａを取り付けた後に、地板１に対する高さ方向の組み付け位置に合わせてから、幅方向にスライドさせて地板１の支軸１３に組み付ける。
【００２１】
シャッタ羽根２や駆動部３ａは地板１から外れないようにカバー６によって固定されている。ヨーク４はカバー６の曲げ形状先端６ａによってヨーク４２が抑えられると同時にその抑えつけ力はヨーク４１とヨーク４２が連結されて略一体となるように押し付けられている（図１ａ）。
【００２２】
ヨーク４はロータマグネット３の外周曲面に対向配置した磁極部４１ａ、４２ａにて磁気回路を構成している。このようにヨーク４１に巻回される巻線コイル５ｂは、ボビン５ａに巻回されてヨーク４１に挿入されている。巻線コイル５ｂは、ロータマグネット３と併設されており、併設方向（Ｘ軸方向）に沿って対向配置される一対の磁極部４１ａ、４２ａの少なくとも一部は、ロータマグネット３及び巻線コイル５ｂの隙間に対応する部分に設けられる。例えば、ロータマグネット３及び巻線コイル５ｂの隙間に対応する部分とは、図２に示すような光軸方向から、各部の配置を見た場合に、図３（図２のＡ−Ａ断面図）に示すようなロータマグネット３と巻線コイル５ｂとの間に形成される領域Ｒを示す。そして、本実施例では、このようなロータマグネット３及び巻線コイル５の隙間に対応する部分において、一対の磁極部の少なくとも一部が配置される。例えば、図２及び図３では、磁極部４２ａの一部を配置したが全部を配置してもよい。なお、ロータマグネット３及び巻線コイル５の隙間に対応する部分の内側に納まるように磁極部を配置して磁極部の突出量を抑えれば小型化に優位である。このように本実施例では、ロータマグネット３及び巻線コイル５ｂとの隙間に着目し、その隙間に磁極部４２ａを配置することで、光量調節装置の幅方向（Y軸方向）に小型化することができる。また、このとき、本実施例の図３のように、ＸＹ平面を切り取った際に、コイル枠５ａ又はコイル巻線５ｂのいずれか一方の高さ方向（Z軸方向）ロータマグネット３側に最も突出している部分とロータマグネット３と、を含む平面（ＸＹ平面）が存在するようにすると光量調節装置の幅方向（Y軸方向）と高さ方向（Z軸方向）の小型化を図ることができる。
【００２３】
このとき、一対の磁極部４１ａ、４２ａは、ロータマグネット３とヨーク４との併設方向（Ｘ軸方向）に沿って対向配置されて、開口部４ａ、４ｂが、ヨーク４の配設方向（Ｘ軸方向）と直交する方向（Y軸方向）に地板１の壁部１ｃの配設スペースを形成している。
【００２４】
また、ロータマグネット３とヨーク４と一対の磁極部４１ａ、４２ａとが実質的に同一方向に直線状に配置されており、このとき、ロータマグネット３とヨーク４と一対の磁極部４１ａ、４２ａと、の中央部分を、それぞれが併設している方向（Ｘ軸方向）に沿って直線上に配置すると光量調節装置の幅方向（Y軸方向）の突出量を少なくし小型化できる。より好ましくは、ロータマグネット３とヨーク４と一対の磁極部４１ａ、４２ａと、の幅方向（Y軸方向）の中心部分が、それぞれを併設している方向（Ｘ軸方向）に沿って直線上に配置すると、光量調節装置の幅方向（Y軸方向）の突出量をさらに少なくし小型化できる。なお、本実施例のように、ヨークを分割した構成とすることでロータマグネットと巻き線コイルとの隙間に対応して設けられる磁極部４２aを有するヨーク４２と、ヨーク４２に連結されて磁極部４２ａと対向配置される磁極部４１ａを有するヨーク４１とを備えるようにすることで、ヨークを分割した状態でコイル枠を取り付け可能にし、コイルの巻き線数を十分に確保して、光量調節装置の幅方向（Y軸方向）と高さ方向（Z軸方向）の小型化を図ることができる。
【００２５】
本実施例では、図３に示すように、地板１にヨーク４が、ヨーク４２及びヨーク４１のそれぞれに分割されて実装されている。ロータマグネット３は、ヨーク４１の一端部上に設けられて、高さ方向（Z軸方向）に立体的な配置となる。一対の磁極部４１ａ、４２ａのうち一方の磁極部４２ａは、ロータマグネット３のうち電磁コイル５側の端部側に実装されることで、ロータマグネット３と、巻き線コイル５ａとの隙間に対応する部分に磁極部４２ａを配置しやすくなる。
【００２６】
電磁コイル５は、ヨーク４１に対して巻回されるのがよい。更に、ヨーク４が装着される地板１を備え、第１ヨーク４１のロータマグネット３が実装された側の反対側の端部上には第２ヨーク４２が結合されて配置されている。
【００２７】
以上が本実施例の構成であるが、以下に図１（ａ）、図５を参照して光量調節装置の動作を説明する。
【００２８】
電磁コイル５が通電ＯＦＦ状態ではヨーク４が非励磁状態にあり、ロータマグネット３の外周面は２極（Ｎ極、Ｓ極）に着磁されていることから、これに対向配置するヨーク４の各磁極部４１ａ、４２ａと磁気的な吸引力（ディテント力）によって図２または図４に示す状態に保持される。ヨーク４は４１ａと４２ａが最も励磁力を発生しやすい角部４１ｂ、４１ｃと４２ｂ、４２ｃによってつくられるヨーク開口部４aと４ｂがあり、４１ｂと４２ｂを結んだ方向と４１ｃと４２ｃを結んだ方向は略平行となっており、ヨーク開口部４aと４ｂを結んだ方向とは直交関係にある。ヨーク開口部４ａと４ｂは駆動部１００の幅、即ち地板１の壁部１ｃの凸量を最も小型化させる。
【００２９】
図２に示す開放状態のとき、ロータマグネット３が支軸１３を回転軸に紙面時計回りに回転させる力となり、シャッタ羽根２を開口穴１ａから退避させて開放状態が保持されている。
【００３０】
この状態からヨーク４の磁極部４１ａがＮ極になり、磁極部４２ａがＳ極になるようにコイル５ｂに通電すると、ヨーク４とロータマグネット３との間に反発力が発生し、ロータマグネット３は図１（ａ）（ｂ）の状態から反時計回りの方向に回転起動し、磁気的中間点を通過した時点で、吸引力に切換り回転する。
【００３１】
ロータマグネット３に一体または結合して設けられたシャッタ羽根駆動手段である駆動ピン３ａはロータマグネット３と同期して旋回する。
【００３２】
これにより、シャッタ羽根２は開放状態から図２の開口部１ａを遮光した遮光状態に回転し、平板部１ｂに設けられたストッパ１４ｂ、ストッパ１４aと、シャッタ羽根２ａ、シャッタ羽根２ｂに設けられた閉じストッパ２３ａ、閉じストッパ２３ｂと、がそれぞれ当接することによって機械的に停止する。
【００３３】
この状態で電磁コイル５への通電を停止しても、前述したようにロータマグネット３とヨーク４の磁気的吸引で遮光状態を保持している。
【００３４】
その後、ヨーク４の磁極部４１ａがＳ極になり、磁極部４２ａがＮ極になるように電磁コイル５に通電すると、ヨーク４とロータマグネット３との間に反発力と吸引力が生じてロータマグネット３が反時計回りに回転し、平板部１ｂに設けられたストッパ１４ａ、ストッパ１４ｂとシャッタ羽根２ａ、シャッタ羽根２ｂに設けられた開きストッパ２４ａ、開きストッパ２４ｂに当接することによって初期位置に戻り停止する。これによりシャッタ羽根２も初期位置に復帰する。このように、コイル５への正、逆通電による磁気的な吸引力、反発力の働きを受けて、ロータマグネット３の回転に同期して駆動ピン３aが回転することにより、シャッタ羽根２は遮光及び、開口動作を行う。
【００３５】
なお、本実施例では電磁コイル５を装着したヨーク４を図１（ａ）（ｂ）においてロータマグネット３のＺ軸方向に配置しているが本発明はこれに限定されるものではなく、ロータマグネット３の回転支持をなす支軸１３を中心にして反時計回りに１８０°の範囲で配置構成することもできる。
【００３６】
以上のように、壁部１ｃに駆動部１００を配置した構成とすることにより駆動部全体を小型化できる。そのため図１（ａ）のような配置とした場合、特に光軸方向（Ｚ軸方向）に垂直な面の面積の小さいシャッタ装置などの光量調節装置を構成することができ、より望ましい構成となる。
【００３７】
本実施例では、平板部１ｂにシャッタ羽根２を取り付け、シャッタ羽根２を駆動する駆動部１００を壁部１ｃに取り付けた構成とし、この壁部１ｃを平板部１ｂに対して直交方向に配置している。そのため、前記駆動部の平面的な広がりを光軸方向（Ｚ軸方向）に向けることができ、光量調節装置を取り付けたカメラモジュールの撮像装置に取り付けに必要なY軸方向の幅は、シャッタ装置の光軸と直交するＹ軸方向の平板部１ｂの幅と該駆動部１００のY軸方向への凸量の和となる。
【００３８】
図６に従来構成を示す。基板部材であるところの地板１は、光軸に対して直交する平面に開口部１ａを形成した平板部１ｂと、平板部１ｂの一端から光軸方向に沿って延びる壁部１cとにより構成し、平板部１ｂには、遮光部材であるところのシャッタ羽根２のシャッタ羽根２ａとシャッタ羽根２ｂが回転可能に支持するための支軸１２ａと支軸１２ｂを光軸方向に沿って設けている。
【００３９】
壁部１ｃにはシャッタ羽根２を駆動させるための手段として磁気回路となる部品や部品を収めるための彫り込み形状等を含む駆動部１００が形成されている。
【００４０】
この構成では駆動部１００は光軸方向から組み付けを行う。駆動部１００は前述した本実施例のマグネットロータ３、ヨーク１０４、磁気コイル５、により構成され、磁気回路から駆動力を得てシャッタ羽根２を回転させる原理は同じである。
【００４１】
ここで、実施例１にて前述したヨークの開口４ａ、４ｂは従来例の開口１０４ａ、１０４ｂにも設けられているが、地板１の壁部１ｃとは垂直位置関係ではない。そのため、ヨーク１０４の肉厚部が壁部１ｃと対向する位置にあり、駆動部１００の凸量がヨーク１０４の肉厚分増す。
【００４２】
本実施例において、駆動部の厚みはマグネットロータ３の厚み、電磁コイル５の厚みにより略支配されるが、ヨーク４は駆動部１００の厚みには影響を与えない。図１（ａ）に示す駆動部の厚みは、図６に示す駆動部の幅方向よりも薄く、シャッタ装置の光軸と直交する方向における全幅を短くすることが可能となる。
【００４３】
即ち、ヨーク１０４の厚みは薄いが幅があるため、図６に示す従来例ではシャッタ装置の光軸と直交する方向における全幅に影響を与えているが、本実施例ではヨーク４の幅方向は光軸方向と平行な方向に沿っているため、シャッタ装置の光軸と直交する方向における影響を与えていない。
【００４４】
本実施例では、ヨーク４は、第２ヨーク４１及び第１ヨークの２つの分割体に分割したが、３つ以上に分割してもよい。また、コイルボビンを用いず、コイルを直接ヨークに巻きつければ、ヨークを一体的に形成してもよい。
【００４５】
＜実施例２＞
図８は本発明の実施例２を示し、光量調節装置または光学機器をカメラモジュールに適用させたもので、シャッタ羽根の開放状態を示している。開口部１ａを遮光するための原理、機構、構成は実施例１と同じであり、異なるのは基板部材であるところの地板１と地板１とシャッタ部材を覆うカバー６の取り付け方法である。地板１はカメラモジュール内部のレンズ、レンズ保持部材、レンズ駆動機構などを収容するための中空ケースであり、一体的に形成されている。また、シャッタ部材を覆うカバー６と地板１は、地板１に設けられた熱溶着用の軸７ａ、７ｂによりとカシメ留めされている。これによりカメラモジュールは部品点数を減らすとともに、実施例１と同じ駆動部１００の配置構成により小型化が可能となる。
【００４６】
＜実施例３＞
図９は本発明の実施例３を示し、光量調節装置または光学機器をカメラモジュールに適用させたもので、シャッタ羽根の開放状態を示している。開口部１ａを遮光するための原理、機構、構成は実施例１と同じであり、異なるのは基板部材であるところの地板１と地板１とシャッタ部材を覆うカバー６の取り付け方法である。地板１はカメラモジュール内部のレンズ、レンズ保持部材、レンズ駆動機構などを収容するための中空ケースである。また、シャッタ部材を覆うカバー６と地板１は、地板１に設けられた熱溶着用の軸７ａ、７ｂによりとカシメ留めされている。シャッタ羽根はカメラモジュールの中空ケースの役目をする地板１上を摺動し、カバー６に設けられた不図示の凹部との間が摺動スペースとなっている。これによりカメラモジュールとシャッタが別ユニットとしていても容易に合体が可能であり、さらには実施例１と同じ駆動部１００の配置構成により小型化が可能となる。
【００４７】
以上本発明を実施例１〜３に基づいて詳細に説明したが、本発明は各実施例１〜３に限定されるものではない。
【００４８】
例えば、本発明では、レンズ及びレンズを保持する鏡筒と、レンズに入った光を受光する撮像素子を備えたカメラモジュールに、撮像素子とは逆面に取り付けられるシャッタにおいて、そのシャッタはカメラモジュールの光通過開口部を覆うように形成されたシャッタ羽根とそれを駆動させる駆動部を有し、駆動部内で磁気回路となるヨーク、磁石、コイルを有し、コイルに電流を流し励磁力を発生させる。その際、励磁に必要なヨークに開口形状を設けるが、開口形状をカメラモジュール側面方向に向ける。それによって本発明では、ヨークが励磁するために必要なヨークの厚み部をカメラモジュール側に位置されることを避けるため、その厚み分シャッタ駆動部のカメラモジュールからのせり出し量を抑えることができ、カメラモジュール全体を小型化することができる。
【００４９】
具体的には、次のような構成を備えることが好ましい。
（１）カメラモジュールに取り付けられる光量調節装置において、光量調節装置は光通過開口部を有する地板と、光通過開口部を遮光する羽根部材と、前記羽根部材を駆動させる電磁アクチュエータと、を有し、前記電磁アクチュエータには磁気回路を作りだすための磁性体のヨークと、前記羽根部材を回動させる羽根駆動ピンを備え磁石が一体的に成形されたマグネットロータを有し、前記ヨークは所定の角度前記マグネットロータを回転させるだけの開口形状が互いに向かい合うように２部有し、該向かい合う方向は光量調節装置が設置されるカメラモジュール側面とは垂直な位置関係であることを特徴とするカメラモジュールまたは光量調節装置。
【００５０】
（２）前記電磁アクチュエータは前記地板の光通過開口部面と垂直に設けられた壁面内に収容され、矩形のカメラモジュールの光通過開口部面及び該側面と前記地板の光通過開口部面と壁面が接することを特徴とする上記（１）に記載の光量調節装置。
【００５１】
（３）前記ヨークは光通過開口方向とは垂直方向から組み付けることを可能とした上記（１）又は（２）に記載の光量調節装置。
【００５２】
（４）カメラモジュールに取り付けられる光量調節装置において、光量調節装置は光通過開口部を有しカメラモジュール外装と一体的に形成された地板と、光通過開口部を遮光する羽根部材と、前記羽根部材を駆動させる電磁アクチュエータと、を有し、前記電磁アクチュエータには磁気回路を作りだすための磁性体のヨークと、前記羽根部材を回動させる羽根駆動ピンを備え磁石が一体的に成形されたマグネットロータを有し、前記ヨークは所定の角度前記マグネットロータを回転させるだけの開口形状が互いに向かい合うように２部有し、該向かい合う方向は光量調節装置が設置されるカメラモジュール側面とは垂直な位置関係であることを特徴とするカメラモジュール。
【００５３】
（５）前記電磁アクチュエータは前記地板の光通過開口部面と垂直に設けられた壁面内に収容され、矩形のカメラモジュールの光通過開口部面及び該側面と前記地板の光通過開口部面と壁面が接することを特徴とする上記（４）に記載の光量調節装置。
【００５４】
（６）前記ヨークは光通過開口方向とは垂直方向から組み付けることを可能とした（５）に記載の光量調節装置。
【００５５】
（７）カメラモジュールに取り付けられる光量調節装置において、光通過開口部を遮光する羽根部材と、前記羽根部材を駆動させる電磁アクチュエータと、を有し、前記電磁アクチュエータには磁気回路を作りだすための磁性体のヨークと、前記羽根部材を回動させる羽根駆動ピンを備え磁石が一体的に成形されたマグネットロータを有し、前記ヨークは所定の角度前記マグネットロータを回転させるだけの開口形状が互いに向かい合うように２部有し、該向かい合う方向は光量調節装置が設置されるカメラモジュール側面とは垂直な位置関係であり、カメラモジュールを収容するカバー部材表面と光量調節装置側カバー部材凹部間を前記羽根部材が摺動することを特徴とした光量調節装置またはカメラモジュール。
【符号の説明】
【００５６】
１  地板
１ａ  開口部  、  １ｂ  平板部  、１ｃ  壁部
１２ａ、１２ｂ  支軸
１３  支軸
１４ａ、１４ｂ  ストッパ
２  シャッタ羽根
２ａ、２ｂ  シャッタ羽根
２１ａ、２１ｂ  丸穴
２２ａ、２２ｂ  長穴
２３ａ、２３ｂ  閉じストッパ
２４ａ、２４ｂ  開きストッパ
３  ロータマグネット
３ａ  駆動ピン  、  ３ｂ  丸穴
４  ヨーク
４１、４２  ヨーク
４ａ、４ｂ  開口部
４１ａ、４２ａ  磁極部
４１ｂ、４１ｃ、４２ｂ、４２ｃ  角部
５  電磁コイル
５ａ  コイルボビン  、  ５ｂ  巻き線コイル
６  カバー
６ａ  曲げ形状先端
７  熱溶着用軸
７ａ、７ｂ  熱溶着用軸
１００  駆動部
１０１  光量調節装置
１０２  カメラモジュール
【図１】
2015062058.tif 000003
【図２】
2015062058.tif 000004
【図３】
2015062058.tif 000005
【図４】
2015062058.tif 000006
【図５】
2015062058.tif 000007
【図６】
2015062058.tif 000008
【図７】
2015062058.tif 000009
【図８】
2015062058.tif 000010
【図９】
2015062058.tif 000011